(57)【要約】【課題】複数の記録媒体に渡って番組データを記録する記録装置に関する。【解決手段】光ディスクドライブ１１により番組データを記録している光ディスクの空き容量が無くなった場合、記録した番組データの終端部分が記憶部１２に記憶され、交換部１５は、他の光ディスクへ交換する。光ディスクドライブ１１は、交換後の光ディスクに記憶部１２から読み出した終端部分を記録し、続いて番組データを記録する。複数の光ディスクに渡って記録された番組データを光ディスクドライブ１１が再生する場合、再生中の光ディスクに記録されている番組データの終端部分と重複する部分を含む他の光ディスクが交換部１５に収納された複数の光ディスクから特定される。光ディスクドライブ１１が再生を終了した場合、交換部１５は、特定された光ディスクへ交換し、続いて再生が行われる。【選択図】図２
2010250898.tif 000002
【特許請求の範囲】
【請求項１】
コンテンツの内容を表すコンテンツデータを記録媒体に記録する記録手段と、前記記録媒体の空き容量に基づいて他の記録媒体に交換する交換手段とを備えた記録装置において、
記録媒体に記録したコンテンツデータの終端部分を記憶する記憶部と、
前記交換手段により他の記録媒体に交換する場合、交換後の記録媒体に、前記記憶部に記憶した前記終端部分を記録する終端記録手段と
を備える
ことを特徴とする記録装置。
【請求項２】
記録媒体に記録されたコンテンツデータを再生する再生手段と、
該再生手段により再生する前記記録媒体に記録されたコンテンツデータの終端部分を読み出す読出手段と、
該読出手段により読み出した前記終端部分が記録してある他の記録媒体を特定する特定手段と
を備え、
前記交換手段は、前記再生手段が前記記録媒体に記録されたコンテンツデータの再生を終了した場合、前記特定手段が特定した前記他の記録媒体に交換するよう構成してある
ことを特徴とする請求項１に記載の記録装置。
【請求項３】
前記再生手段は、前記交換手段により交換した前記他の記録媒体に記録されている前記終端部分を除くコンテンツデータを再生するよう構成してあることを特徴とする請求項２に記載の記録装置。
【請求項４】
終端部分を再生する指示を受付ける受付手段を備え、
前記再生手段は、前記受付手段により前記指示を受付けた場合、前記交換手段により交換した前記他の記録媒体に記録されている前記終端部分を含むコンテンツデータを再生するよう構成してあることを特徴とする請求項２又は請求項３に記載の記録装置。
【請求項５】
複数の記録媒体を収納する収納部を備え、
前記交換手段は、前記収納部が収納する前記複数の記録媒体の内の一の記録媒体を選択して前記記録手段に装着するよう構成してある
ことを特徴とする請求項１から請求項４までのいずれか一項に記載の記録装置。
【請求項６】
前記記憶部は、コンテンツデータを記憶することができる複数の記憶領域を有し、
記録媒体夫々に固有の媒体情報を前記複数の記憶領域の内の一の記憶領域に関連付けて記憶する媒体関連付け手段を備え、
前記記録手段は、記憶領域に記憶してあるコンテンツデータを、前記媒体関連付け手段により該記憶領域に関連付けて記憶した媒体情報に対応する記録媒体に記録するよう構成してある
ことを特徴とする請求項１から請求項５までのいずれか一項に記載の記録装置。
【発明の詳細な説明】
【技術分野】
【０００１】
本発明は、複数の記録媒体に渡って番組データを記録する記録装置に関する。
【背景技術】
【０００２】
現在、テレビジョン放送により放送された番組等のコンテンツを記録する記録装置が普及している。番組を録画する記録装置の場合、ユーザによりＤＶＤ（Digital Versatile Disc）又はＢＤ（Blu-ray Disc，登録商標）等の記録媒体が記録装置に装着される。次にユーザは、記録装置を操作して所望の番組を録画予約する。記録装置は、録画予約された番組の放送時刻に当該番組を録画する。放送時間の長い番組を録画する場合、番組の内容を示す映像音声データ等の番組データが一枚の記録媒体に記録できないことがある。従来、一枚の記録媒体に記録すべく記録媒体の空き容量を検知し、検知した空き容量に応じて番組データの圧縮率を変更する記録装置が知られている（例えば、特許文献１参照）。
【０００３】
圧縮率が高い番組データが記録された場合、当該番組データから再生される番組の画質は、低くなる。そこで、記録媒体を交換して記録することにより、複数の記録媒体に渡って番組データを記録することがある。番組データが記録された複数の記録媒体を再生する場合、記録装置は、各記録媒体の記録順番に基づいて順次再生する必要がある。そこで従来、録画順番を示すラベル等を各記録媒体に貼設し、ユーザがラベル等に表示された再生順番に従って各記録ディスクを交換することで順次再生していた。
【先行技術文献】
【特許文献】
【０００４】
【特許文献１】特開２００８−３５０５１号公報
【発明の概要】
【発明が解決しようとする課題】
【０００５】
しかしながら、各記録ディスクに記録順番を示したラベル等を貼設する手間が生じるという問題があった。
【０００６】
本発明は斯かる事情に鑑みてなされたものであり、交換前の記録媒体に記録したコンテンツデータの終端部分を交換後の記録媒体に記録する終端記録手段を備えることにより、各記録媒体の録画順番を識別可能となる記録装置を提供することを目的とする。
【課題を解決するための手段】
【０００７】
本発明に係る記録装置は、コンテンツの内容を表すコンテンツデータを記録媒体に記録する記録手段と、前記記録媒体の空き容量に基づいて他の記録媒体に交換する交換手段とを備えた記録装置において、記録媒体に記録したコンテンツデータの終端部分を記憶する記憶部と、前記交換手段により他の記録媒体に交換する場合、交換後の記録媒体に、前記記憶部に記憶した前記終端部分を記録する終端記録手段とを備えることを特徴とする。
【０００８】
本発明にあっては、コンテンツデータが記録媒体に記録されている期間、記録媒体の空き容量が検出される。空き容量が所定量以下となった場合、記録媒体へ記録されるコンテンツデータの終端部分が記憶部に記憶される。記録媒体の空き容量が無くなった場合、コンテンツデータの記録が停止されて、次の記録媒体に交換される。交換後の記録媒体へ記憶部に記憶された終端部分が記録された後に、コンテンツデータの記録が続行される。これにより、２枚目以降の記録媒体には、交換前の記録媒体に記録されたコンテンツデータの終端部分と重複した部分が記録される。
【０００９】
本発明に係る記録装置は、記録媒体に記録されたコンテンツデータを再生する再生手段と、該再生手段により再生する前記記録媒体に記録されたコンテンツデータの終端部分を読み出す読出手段と、該読出手段により読み出した前記終端部分が記録してある他の記録媒体を特定する特定手段とを備え、前記交換手段は、前記再生手段が前記記録媒体に記録されたコンテンツデータの再生を終了した場合、前記特定手段が特定した前記他の記録媒体に交換するよう構成してあることを特徴とする。
【００１０】
本発明にあっては、一の記録媒体に記録されたコンテンツデータの再生が終了する場合、コンテンツデータの終端部分と重複する部分を含む他の記録媒体が検索される。検索の結果、他の記録媒体がある場合、記録媒体の再生終了後に引き続いて当該他の記録媒体が重複部分をスキップして再生される。これにより、複数の記録媒体に渡ってコンテンツデータが記録されている場合、記録順に従って各記録媒体が再生される。
【００１１】
本発明に係る記録装置は、前記再生手段は、前記交換手段により交換した前記他の記録媒体に記録されている前記終端部分を除くコンテンツデータを再生するよう構成してあることを特徴とする。
【００１２】
本発明にあっては、各記録媒体に重複部分が生じるよう複数の記録媒体に渡ってコンテンツデータが記憶されている場合、重複部分がスキップされて再生される。これにより、同じコンテンツ内容が連続して表示される煩わしさがない。
【００１３】
本発明に係る記録装置は、終端部分を再生する指示を受付ける受付手段を備え、前記再生手段は、前記受付手段により前記指示を受付けた場合、前記交換手段により交換した前記他の記録媒体に記録されている前記終端部分を含むコンテンツデータを再生するよう構成してあることを特徴とする。
【００１４】
本発明にあっては、複数の記録媒体に渡って記録されたコンテンツデータを再生する場合、重複部分となる終端部分をスキップするか否かがユーザにより選択される。これにより、連続して再生する場合は重複部分をスキップし、期間を空けて各記録媒体を再生する場合には重複部分をスキップしない等、ユーザの好みに合わせて選択することができる。
【００１５】
本発明に係る記録装置は、複数の記録媒体を収納する収納部を備え、前記交換手段は、前記収納部が収納する前記複数の記録媒体の内の一の記録媒体を選択して前記記録手段に装着するよう構成してあることを特徴とする。
【００１６】
本発明にあっては、収納された複数の記録媒体のうち、いずれか１つの記録媒体を光ディスクドライブに装着する交換部を備える。これにより、ユーザが記録媒体を交換することなく複数の記録媒体に渡ってコンテンツデータが記録又は再生される。
【００１７】
本発明に係る記録装置は、前記記憶部は、コンテンツデータを記憶することができる複数の記憶領域を有し、記録媒体夫々に固有の媒体情報を前記複数の記憶領域の内の一の記憶領域に関連付けて記憶する媒体関連付け手段を備え、前記記録手段は、記憶領域に記憶してあるコンテンツデータを、前記媒体関連付け手段により該記憶領域に関連付けて記憶した媒体情報に対応する記録媒体に記録するよう構成してあることを特徴とする。
【００１８】
本発明にあっては、記憶部に設けられた複数の記憶領域夫々に複数の記録媒体が対応付けられ、コンテンツデータは、１つの記憶領域に記憶される。記憶領域に記憶されたコンテンツデータは、当該記憶領域に対応付けられた記録媒体に記録される。コンテンツデータが記録媒体に記録されている期間、記録媒体の空き容量が検出される。空き容量が所定量以下となった場合、記録媒体へ記録されるコンテンツデータの終端部分が記憶部に記憶される。記録媒体の空き容量が無くなった場合、コンテンツデータの記録が停止されて、当該記憶領域に対応付けられた次の記録媒体に交換される。交換後の記録媒体に記憶部に記憶された終端部分が記録された後に、コンテンツデータの記録が続行される。
【発明の効果】
【００１９】
本発明にあっては、交換前の記録媒体に記録したコンテンツデータの終端部分を交換後の記録媒体に記録する終端記録手段を備えることにより、各記録媒体の録画順番を識別可能となる。
【図面の簡単な説明】
【００２０】
【図１】記録装置の外観を示す概念図である。
【図２】記録装置の内部構成を示すブロック図である。
【図３】連続録画の動作を説明するための説明図である。
【図４】連続録画処理の手順を示すフローチャートである。
【図５】連続再生処理の手順を示すフローチャートである。
【図６】重複部分検出処理の手順を示すフローチャートである。
【図７】選択画面の例を示す模式図である。
【図８】関連録画処理の手順を示すフローチャートである。
【図９】関連再生処理の手順を示すフローチャートである。
【図１０】関連再生処理の手順を示すフローチャートである。
【図１１】記憶部の内部構成を示す模式図である。
【図１２】記憶部の記憶領域を分割する処理の手順を示すフローチャートである。
【図１３】光ディスクドライブに光ディスクが装着されてから記録装置が行う処理の手順を示すフローチャートである。
【図１４】番組再生の処理の手順を示すフローチャートである。
【発明を実施するための形態】
【００２１】
実施の形態１
以下、本発明をその実施の形態を示す図面に基づき具体的に説明する。図１は、記録装置の外観を示す概念図である。記録装置１には、テレビジョン受像機である映像表示装置４が接続されており、記録装置１は、映像表示装置４に対して映像信号及び音声信号を出力する。映像表示装置４は、映像信号に基づいた映像を表示し、音声信号に基づいた音声を出力する。また記録装置１は、ユーザによって操作されるリモコン（リモートコントローラ）５からの信号を受信することにより、録画予約の指示等の各種の指示を受け付ける。
【００２２】
図２は、記録装置１の内部構成を示すブロック図である。記録装置１は、図示しない外部のアンテナ等と、放送入力部３１と、信号入力部３２とを備えている。放送入力部３１には、デジタル放送の放送波を復調した放送信号が入力される。信号入力部３２には、図示しない外部チューナ等の外部装置から映像信号及び音声信号が入力される。また、記録装置１は、リモコン受信部３３と、信号出力部３４と、ハイブリッドドライブ部１０と、バックエンド部２０とを備える。リモコン受信部３３は、リモコン５からの信号を受信する。信号出力部３４は、映像表示装置４へ映像信号及び音声信号を出力する。ハイブリッドドライブ部１０は、放送された番組（コンテンツ）の内容を表す番組データ（コンテンツデータ）を記録する。バックエンド部２０は、放送波から番組データを生成する処理を行う。
【００２３】
番組データは映像及び音声からなる番組の内容を表すデジタルデータであり、番組データをデコードすることにより、番組の映像及び音声を再生することができる。バックエンド部２０は、デジタルチューナ２１及びエンコーダ２２を備える。デジタルチューナ２１には放送入力部３１が接続され、エンコーダ２２には信号入力部３２が接続されている。デジタルチューナ２１には、放送入力部３１からデジタル放送の放送信号が入力される。また、デジタルチューナ２１は、入力された放送信号のうち、選局されたチャンネル即ち特定の周波数帯の放送信号をＭＰＥＧ（Moving Picture Experts Group）−２ＴＳ（Transport Stream）等のデジタルのストリームデータに変換する。
【００２４】
エンコーダ２２は、信号入力部３２から映像信号及び音声信号が入力される。エンコーダ２２は、入力された映像信号及び音声信号をＭＰＥＧ−２ＰＳ（Program Stream）又はＭＰＥＧ−２ＴＳ等のデジタルのストリームデータにエンコードする処理を行う。またバックエンド部２０は、ストリーム処理部２３を備えており、デジタルチューナ２１及びエンコーダ２２はストリーム処理部２３に接続されている。ストリーム処理部２３には、デジタルチューナ２１及びエンコーダ２２からストリームデータが入力される。ストリーム処理部２３は、入力されたストリームデータに対してデジタル放送用のスクランブルを解除する処理等のデータ処理を施す。
【００２５】
ストリーム処理部２３は、バックエンド部２０内のシステムバスに接続されている。またシステムバスには、演算を行う演算部を含む録画／再生制御部２４、揮発性メモリである制御用メモリ２５、不揮発性メモリである保存用メモリ２７、及びストリームデータをデコードするデコーダ２８が接続されている。録画／再生制御部２４は、終端記録手段、再生手段、読出手段及び特定手段として機能するようにしてある。また、デコーダ２８には、画像処理部２９が接続されている。録画／再生制御部２４は、システムバスに接続された各部分間でのデータの入出力を制御する処理を行う。また録画／再生制御部２４にはバックエンド部２０外のリモコン受信部３３が接続されており、録画／再生制御部２４は、リモコン受信部３３からの信号を入力されることにより、ユーザからの各種の指示を受け付ける。なお、記録装置１は、更に、チューナ装置等の外部装置からストリームデータを受信するイーサネット（登録商標）等のデジタルインターフェースを備えていてもよい。このデジタルインターフェースは、ストリーム処理部２３に接続されている。
【００２６】
制御用メモリ２５は、ストリーム処理部２３又は録画／再生制御部２４等が実行する演算に伴う一時的な情報を記憶する。保存用メモリ２７は、録画／再生制御部２４の動作に必要な制御プログラム、及び録画予約に必要な情報等、保存する必要がある情報を記憶する。デコーダ２８は、ストリームデータを映像信号及び音声信号へデコードし、映像信号及び音声信号を画像処理部２９へ入力する。画像処理部２９は、画素の補間又は色調整等の画像処理を映像信号に対して施す。画像処理部２９にはバックエンド部２０外の信号出力部３４が接続されており、映像信号及び音声信号は信号出力部３４から映像表示装置４へ出力される。
【００２７】
更に、バックエンド部２０内のシステムバスには、ＳＡＴＡ（Serial Advanced Technology Attachment ）等のインターフェース部２６が接続されており、インターフェース部２６には、バックエンド部２０外のハイブリッドドライブ部１０が接続されている。バックエンド部２０は、インターフェース部２６を介してハイブリッドドライブ部１０との間でデータを交換する。ハイブリッドドライブ部１０は、インターフェース部１４と、光ディスクドライブ１１と、データを記憶する記憶部１２と、ドライブ制御部１３と、交換部１５とを備える。ドライブ制御部１３は、光ディスクドライブ１１及び記憶部１２の動作を制御する。ハイブリッドドライブ部１０は、バックエンド部２０に接続するＳＡＴＡ等のインターフェース部１４を介してバックエンド部２０との間でデータを交換する。
【００２８】
光ディスクドライブ１１には、記録媒体としてのＤＶＤ又はＢＤ等の光ディスクが装着される。交換部１５は、記録媒体としての光ディスクを複数収納可能にしてある。また、交換部１５は、いわゆるディスクチェンジャであり、収納した複数の光ディスクのうち、一つの光ディスクを光ディスクドライブ１１に装着するようにしてある。また、交換部１５は、光ディスクドライブ１１に装着する光ディスクの選択をインターフェース部１４を介してバックエンド部２０から受け付けるようにしてある。光ディスクドライブ１１は、装着された光ディスクからのデータの読み出し、及び光ディスクへのデータの記録を行う。記憶部１２は、フラッシュメモリ等の不揮発性メモリ又はハードディスクで構成されてある。次に、記録装置１が複数の光ディスクに連続して録画する場合の動作を説明する。
【００２９】
図３は、連続録画の動作を説明するための説明図である。ここで、連続録画とは、複数の光ディスクに渡って番組データを連続して録画することを意味する。横軸は、時間を示しており、最上段に記録すべき番組データが示されている。また、第１光ディスクに記録される番組データと、記憶部１２に記憶される番組データと、第２光ディスクに記録される番組データとが上段から下段に向かって並べて示されている。第１光ディスクは、交換部１５に収納された複数の光ディスクのうち、番組データを録画すべく選択されて光ディスクドライブ１１に装着された光ディスクである。図３に示す如く時点Ｔ０で番組データは、第１光ディスクに記録開始され、記録中に第１光ディスクの空き容量が随時検出される。空き容量が所定量未満となった場合、第１光ディスクへの番組データの記録を継続すると共に、記憶部１２の第２光ディスクに対応付けられた記憶領域である第２領域に対して録画データが記憶開始される。図３に示す例では、時点Ｔ１で記憶部１２の第２領域（図示せず）に番組データが記憶開始される。
【００３０】
第１光ディスクの空き容量が無くなった場合、第１光ディスクへの番組データの記録は停止するが、記憶部１２の第２領域への番組データの記憶は継続する。図３に示す例では、時点Ｔ２で第１光ディスクには番組データの部分１０１と、終端部分１０２とが記録されている。また、記憶部１２には、番組データの終端部分１０２が記憶されている。空き容量が無くなった第１光ディスクが交換部１５により光ディスクドライブ１１から取り外され、光ディスクドライブ１１に第２光ディスクが装着されて交換される。記憶部１２の第２領域に記憶されている終端部分１０２と部分１０３とが、交換後の第２光ディスクに記録される。
【００３１】
終端部分１０２が記録された第２光ディスクに、番組データの残りの部分１０３が記録される。これにより、図３に示す如く第２光ディスクの先頭には、第１光ディスクに記録された番組データの終端部分１０２と重複しており、再生時間ΔＴに対応する番組データの終端部分１０２が記録される。全番組データが複数の光ディスクに記録されるまで順次光ディスクが交換される。２枚目以降の各光ディスクの先頭には、交換直前の光ディスクに記録されている番組データの再生時間ΔＴに対応する終端部分と重複する部分が記録される。次に記録装置１が複数の光ディスクに記録された番組データを連続して再生する場合の動作を説明する。
【００３２】
交換部１５により第１光ディスクが光ディスクドライブ１１に装着されて再生が開始される。第１光ディスクの残り再生時間が所定時間未満となった場合、交換部１５に収納されている各光ディスクに記録された番組データの先頭部分が読み出される。ここで、残り再生時間とは、光ディスクに記録されている番組データの再生時間から、再生を完了した番組データの再生時間を差し引いた時間である。各光ディスクから読み出された番組データの先頭部分夫々は、再生中の第１光ディスクに記録されている番組データの終端部分と比較されて重複部分が検出される。検出した重複部分に基づいて第１光ディスクの次に再生すべき第２光ディスクが特定される。第１光ディスクの再生が終了した場合、特定された第２光ディスクへ交換される。
【００３３】
第２光ディスクに記録されている番組データが重複部分をスキップして再生が開始される。以降、光ディスクが順次交換されて番組データが記録された複数の光ディスクが連続再生される。各光ディスクに重複部分を記録することにより、記録順番を示すラベル等を各光ディスクに貼設することなく各光ディスクの記録順番を識別し、記録順に再生等を行うことが可能となる。また、重複部分をスキップして再生することにより、ユーザが重複部分を連続して繰返し視聴する煩わしさを防ぐことが可能となる。
【００３４】
図４は、連続録画処理の手順を示すフローチャートである。連続録画処理は、番組データを複数の光ディスクに渡って連続して記録すべく記録装置１により実行される。録画／再生制御部２４は、光ディスクドライブ１１に装着された光ディスクに番組データを記録開始する（ステップＳ１１）。録画／再生制御部２４は、番組データを記録中の光ディスクの空き容量が所定量未満であるか否かを判定する（ステップＳ１２）。光ディスクの空き容量が所定量未満でないと判定した場合（ステップＳ１２でＮＯ）、録画／再生制御部２４は、所定量未満と判定するまで待機する。光ディスクの空き容量が所定量未満であると判定した場合（ステップＳ１２でＹＥＳ）、録画／再生制御部２４は、記憶部１２に番組データを記憶開始する（ステップＳ１３）。
【００３５】
これにより、番組データは、光ディスクに記録されると共に記憶部１２にも記憶される。録画／再生制御部２４は、記録中の光ディスクの空き容量があるか否かを判定する（ステップＳ１４）。空き容量があると判定した場合（ステップＳ１４でＹＥＳ）、録画／再生制御部２４は、空き容量がないと判定するまで待機する。空き容量がないと判定した場合（ステップＳ１４でＮＯ）、録画／再生制御部２４は、光ディスクへの番組データの記録を停止する（ステップＳ１５）。録画／再生制御部２４は、交換部１５により光ディスクドライブ１１に装着された光ディスクを交換する（ステップＳ１６）。
【００３６】
録画／再生制御部２４は、記憶部１２に記憶した番組データを交換した光ディスクに記録する（ステップＳ１７）。これにより、録画／再生制御部２４は、終端記録手段として機能する。録画／再生制御部２４は、記憶部１２に記憶中の番組データを交換後の光ディスクに記録開始する（ステップＳ１８）。録画／再生制御部２４は、全ての番組データを光ディスクに記録したか否かを判定する（ステップＳ１９）。全ての番組データを記録していないと判定した場合（ステップＳ１９でＮＯ）、光ディスクの空き容量があるか否かを判定するステップＳ１４に処理を戻す。全ての番組データを記録したと判定した場合（ステップＳ１９でＹＥＳ）、連続録画処理を終了する。
【００３７】
図５は、連続再生処理の手順を示すフローチャートである。連続再生処理は、番組データが記録された複数の光ディスク夫々を録画順に基づいて、連続して再生すべく記録装置１により実行される。録画／再生制御部２４は、光ディスクドライブ１１に装着された光ディスクを再生開始する（ステップＳ３１）。録画／再生制御部２４は、再生中の光ディスクの残り再生時間が所定時間未満であるか否かを判定する（ステップＳ３２）。残り再生時間が所定時間未満でないと判定した場合（ステップＳ３２でＮＯ）、録画／再生制御部２４は、残り再生時間が所定時間未満となるまで待機する。
【００３８】
残り再生時間が所定時間未満となった場合（ステップＳ３２でＹＥＳ）、録画／再生制御部２４は、再生中の光ディスクに記録されている番組データの終端部分を読み出して記憶部１２に記憶する（ステップＳ３３）。録画／再生制御部２４は、光ディスクの再生を停止し（ステップＳ３４）、記憶部１２に記憶した番組データの終端部分を読み出して再生する（ステップＳ３５）。録画／再生制御部２４は、交換部１５により他の一つの光ディスクを光ディスクドライブ１１に装着して記録されている番組データの先頭部分を読み出す（ステップＳ３６）。録画／再生制御部２４は、記憶部１２に記憶してある番組データの終端部分及びステップＳ３６で読み出した番組データの先頭部分から重複部分を検出する後述の重複部分検出処理を実行する（ステップＳ３７）。
【００３９】
録画／再生制御部２４は、重複部分検出処理により検出した重複部分があるか否かを判定する（ステップＳ３８）。重複部分があると判定した場合（ステップＳ３８でＹＥＳ）、録画／再生制御部２４は、光ディスクドライブ１１に装着してある光ディスクを重複部分を検出した光ディスクへ交換部１５に交換させる（ステップＳ４０）。これにより、録画／再生制御部２４は、次に再生すべき光ディスクを特定する特定手段として機能する。録画／再生制御部２４は、交換後の光ディスクに記録してある録画データを、重複部分をスキップして再生開始し（ステップＳ４１）、残り再生時間が所定時間未満であるか否かを判定するステップＳ３２に処理を戻す。
【００４０】
ステップＳ３８で重複部分がないと判定した場合（ステップＳ３８でＮＯ）、録画／再生制御部２４は、全ての光ディスクから番組データの先頭部分を読出し済みであるか否かを判定する（ステップＳ３９）。全ての光ディスクから読出し済みでないと判定した場合（ステップＳ３９でＮＯ）、録画／再生制御部２４は、他の一つの光ディスクに記録してある番組データの先頭部分を読み出すステップＳ３６に処理を戻す。全ての光ディスクから読出し済みであると判定した場合（ステップＳ３９でＹＥＳ）、録画／再生制御部２４は、連続再生処理を終了する。
【００４１】
図６は、重複部分検出処理の手順を示すフローチャートである。重複部分検出処理は、図５で示した連続再生処理のステップＳ３７で実行される。録画／再生制御部２４は、記憶部１２から読み出した番組データの終端部分及び他の光ディスクから読み出した番組データの先頭部分夫々からＰＣＲ（ Program Clock Reference ）を抽出する（ステップ５１）。ここで、ＰＣＲとは、ＭＰＥＧ−２ＴＳのデジタルのデータストリーム中に所定間隔で挿入されるクロック信号であり、例えば、１００ｍｓ間隔で挿入される。録画／再生制御部２４は、終端部分及び先頭部分夫々から抽出したＰＣＲを比較して一致するＰＣＲがあるか否かを判定する（ステップＳ５２）。一致するＰＣＲがあると判定した場合（ステップＳ５２でＹＥＳ）、録画／再生制御部２４は、一致するＰＣＲを含むパケットを番組データの終端部分及び先頭部分夫々から抽出する（ステップＳ５３）。
【００４２】
録画／再生制御部２４は、終端部分及び先頭部分夫々から抽出した２つのパケット内のデータを比較する（ステップＳ５４）。録画／再生制御部２４は、比較結果よりデータが一致するか否かを判定する（ステップＳ５５）。データが一致すると判定した場合（ステップＳ５５でＹＥＳ）、録画／再生制御部２４は、先頭部分に含まれる番組データのうち、データが一致したパケット以降の番組データを重複部分として検出し（ステップＳ５６）、重複部分検出処理を終了する。また、ステップＳ５２で一致するＰＣＲがないと判定した場合（ステップＳ５２でＮＯ）、又はステップＳ５５でデータが一致しないと判定した場合（ステップＳ５５でＮＯ）、録画／再生制御部２４は、重複部分検出処理を終了する。
【００４３】
本実施の形態１では、ＭＰＥＧ−２ＴＳのデータストリーム中に挿入されるＰＣＲ信号を抽出し、データの比較を行って重複部分を検出する場合を示したが、これに限るものではない。例えば、ＭＰＥＧの動画データにフレーム間圧縮して挿入されるＩピクチャフレームを用いてもよい。この場合、番組データの終端部分及び先頭部分に含まれるＩピクチャフレームを抽出し、一致するＩピクチャフレームを含むＧＯＰ（ Group Of Picture ）データを重複部分として検出する。また、番組データの終端部分及び先頭部分に含まれる音声データに基づく各音声のパターンを比較して一致する部分を抽出し、重複部分を検出してもよい。この場合、例えば各音声に出現する無音時間のパターン等を比較するとよい。
【００４４】
実施の形態２
本実施の形態２は、実施の形態１が番組データを複数の光ディスクに渡って連続して録画するのに対して、関連する番組データを複数の光ディスク夫々に間欠的に録画する。また、本実施の形態２は、実施の形態１で記憶部１２に記憶した終端部分１０２を番組データの光ディスクへの記録が完了した場合に削除せずに番組に対応付けて保存するようにしてある。記録装置１は、記憶部１２又は保存用メモリ２７等に記憶してある予約情報に基づいて番組を録画する。記録装置１は、予約情報に基づいて番組を録画する場合、当該番組が既に録画した番組の関連番組であるか否かを判定する。関連番組であると判定した場合、番組に対応して記憶部１２に記憶してある終端部分１０２のうち、直近の終端部分１０２を読み出して光ディスクドライブ１１に装着された光ディスクに記録する。
【００４５】
記録装置１は、光ディスクに記録した終端部分１０２に続いて関連番組の番組データを記録する。関連番組が録画される都度、順次光ディスクが交換されて録画される。関連番組夫々が記憶された各光ディスクには、１つ前の光ディスクに記録されている番組データの終端部分と重複する部分が記録される。記録装置１は、関連番組を記録した複数の光ディスクを再生する場合、各光ディスクの再生終了後に重複部分を検出する。検出した重複部分に基づいて、関連番組が録画されており、次に再生すべき光ディスクが特定されて交換される。記録装置１は、選択画面を映像表示装置４に表示してユーザによる重複部分のスキップの選択を受付ける。ユーザが重複部分のスキップを選択した場合、交換後の光ディスクの先頭に含まれる重複部分がスキップされて再生される。
【００４６】
ユーザが重複部分のスキップを選択しなかった場合、交換後の光ディスクの先頭から再生される。これにより、関連番組を複数の光ディスク夫々に間欠的に記録する場合であっても、記録順番を示すラベル等を各光ディスクに貼設することなく記録順番を識別し、各光ディスクの再生等を行うことが可能となる。また、関連番組が記録された複数の光ディスクを再生する場合、ユーザが重複部分をスキップするか否かを選択することが可能となる。
【００４７】
図７は、選択画面の例を示す模式図である。記録装置１は、関連番組を記録した複数の光ディスクを記録順に再生すべく光ディスクを交換した場合、映像表示装置４に選択画面を表示する。選択画面は、交換した光ディスクに記録されている番組データの重複部分をスキップして再生するか否かの選択を受付けるべく映像表示装置４に表示される。図７に示す例では、光ディスクが交換されて再生する旨を示すメッセージ「次のディスクを再生します。」と、重複部分をスキップして再生するか否かを問い合わせるメッセージ「重複部分をスキップしますか？」とが表示されている。
【００４８】
また、重複部分をスキップして再生することを選択するための「スキップする」と表示されたアイコンと、重複部分をスキップせずに再生することを選択するための「スキップしない」と表示されたアイコンとが表示されている。選択画面に応じたユーザによる操作をリモコン５が受付ける。リモコン５が送信する操作信号を記録装置１に接続された受付手段としてのリモコン受信部３３が受信する。これにより、ユーザが重複部分をスキップして再生するか否かを選択することが可能となる。
【００４９】
図８は、関連録画処理の手順を示すフローチャートである。関連録画処理は、関連番組を複数の光ディスクに録画すべく記録装置１により実行される。録画／再生制御部２４は、記憶部１２に記憶してある終端部分に対応付けられた番組を参照して、既に光ディスクに記録された番組の関連番組の録画であるか否かを判定する（ステップＳ６１）。録画／再生制御部２４は、関連番組の録画であると判定した場合（ステップＳ６１でＹＥＳ）、記憶部１２から番組に対応して直近に記録された番組データの終端部分を読み出す（ステップＳ６２）。録画／再生制御部２４は、光ディスクに終端部分を記録する（ステップＳ６３）。録画／再生制御部２４は、ステップＳ６３の処理の後、又は、関連番組の録画でないと判定した場合（ステップＳ６１でＮＯ）、図４に示した連続録画処理を実行して（ステップＳ６４）、関連録画処理を終了する。
【００５０】
図９及び図１０は、関連再生処理の手順を示すフローチャートである。関連再生処理は、関連番組が録画された複数の光ディスクを再生すべく記録装置１により実行される。録画／再生制御部２４は、光ディスクドライブ１１に装着された光ディスクを再生開始する（ステップＳ７１）。録画／再生制御部２４は、光ディスクの再生を終了したか否かを判定する（ステップＳ７２）。再生を終了していないと判定した場合（ステップＳ７２でＮＯ）、録画／再生制御部２４は、再生終了するまで待機する。再生を終了したと判定した場合（ステップＳ７２でＹＥＳ）、録画／再生制御部２４は、録画する番組に対応しており、直近に記憶された番組データの終端部分を記憶部１２から読み出す（ステップＳ７３）。
【００５１】
録画／再生制御部２４は、他の１つの光ディスクから番組データの先頭部分を読み出す（ステップＳ７４）。録画／再生制御部２４は、読み出した終端部分及び先頭部分に対して重複部分検出処理を実行する（ステップＳ７５）。録画／再生制御部２４は、重複部分検出処理により検出した重複部分があるか否かを判定する（ステップＳ７６）。重複部分があると判定した場合（ステップＳ７６でＹＥＳ）、録画／再生制御部２４は、光ディスクドライブ１１に装着してある光ディスクを、重複部分を検出した光ディスクへ交換部１５に交換させる（ステップＳ７８）。録画／再生制御部２４は、選択画面を映像表示装置４に表示し、操作を受付ける（ステップＳ７９）。録画／再生制御部２４は、受付けた操作に基づいて、重複部分をスキップしての再生、すなわちスキップ再生が選択されたか否かを判定する（ステップＳ８０）。スキップ再生が選択されたと判定した場合（ステップＳ８０でＹＥＳ）、録画／再生制御部２４は、重複部分をスキップして光ディスクを再生開始する（ステップＳ８１）。
【００５２】
スキップ再生が選択されていないと判定した場合（ステップＳ８０でＮＯ）、録画／再生制御部２４は、記録されている番組データの先頭から光ディスクを再生開始する（ステップＳ８２）。録画／再生制御部２４は、再生を終了したか否かを判定するステップＳ７２に処理を戻す。ステップＳ７６で重複部分がないと判定した場合（ステップＳ７６でＮＯ）、録画／再生制御部２４は、全ての光ディスクから番組データの先頭部分を読出し済みであるか否かを判定する（ステップＳ７７）。全ての光ディスクから読出し済みでないと判定した場合（ステップＳ７７でＮＯ）、録画／再生制御部２４は、他の光ディスクに記録してある番組データの先頭部分を読み出すステップＳ７４に処理を戻す。全ての光ディスクから読出し済みであると判定した場合（ステップＳ７７でＹＥＳ）、録画／再生制御部２４は、関連再生処理を終了する。
【００５３】
本実施の形態２は以上の如き構成としてあり、その他の構成及び処理は実施の形態１と同様であるので対応する部分には同一の符号及び処理名を付してその詳細な説明を省略する。
【００５４】
実施の形態３
図１１は、記憶部１２の内部構成を示す模式図である。本実施の形態３は、特定の記憶領域に対応付けて特定の光ディスクを登録する記録装置が複数の光ディスクに渡って番組データを記録する。記憶部１２は、記憶部１２の記憶内容を管理するための情報を記憶する管理領域、並びに番組データを記憶するための第１領域、第２領域、…、第ｎ領域及び予備領域の複数の記憶領域を含んで構成されている。ここで、ｎは正の整数である。ｎは予め適当な値に定められており、記録装置１の出荷時点では、記憶部１２の記憶領域が管理領域、第１〜第ｎ領域及び予備領域の複数の記憶領域に予め分割されている。
【００５５】
記憶部１２の記憶領域の内、第１〜第ｎ領域は、個別に特定の光ディスクを対応付けておき、対応づけた光ディスクに応じたデータを記憶するための記憶領域である。例えば、第１領域には特定の光ディスク６１が対応付けられ、第２領域には特定の光ディスク６２が対応付けられている。記録装置１の出荷時点では、いずれの領域にも光ディスクは対応付けられていない。記録装置１を使用するには、ユーザ所有の光ディスクを何れかの記憶領域に対応付けて登録する処理を行う必要がある。また予備領域は、その他のデータを記憶するための記憶領域である。
【００５６】
記憶部１２の管理領域は、図１１に示すように、管理領域を管理するための情報を記憶する管理領域管理部と、第１領域、第２領域、…、第ｎ領域及び予備領域の夫々を管理するための情報を記憶する第１領域管理部、第２領域管理部、…、第ｎ領域管理部及び予備領域管理部とを含んで構成されている。管理領域は、記憶部１２の記憶領域を分割した数を示すエントリ数と、管理領域中で第１〜第ｎ領域管理部及び予備領域管理部の夫々に割り当てられたエリアのアドレスを示す割り当てエリア情報とが記憶されている。
【００５７】
第１領域管理部には、第１領域の番号を示すエントリ番号、第１領域に実際に光ディスクが対応付けられているか否かを示す割り当てフラグ、及び対応付けられた光ディスクを識別するためのメディアＩＤが記憶される。また第１領域管理部には、割り当てエリア情報、メディアキー情報、マップ情報及び連続再生ディスク番号が記憶される。割り当てエリア情報は、記憶部１２の記憶領域中で第１領域に割り当てられたエリアのアドレスを示す。メディアキー情報は、光ディスクのコピーガードに利用するための情報である。マップ情報は、第１領域に係るデータの分布状態を示す。連続再生ディスク番号は、１つの番組データ又は関連番組の番組データが複数の光ディスクに記録された場合、各光ディスクに対して連続して再生すべきディスク番号を示す。ディスク番号は、各光ディスクに割り当てられた番号であり、各光ディスクに対応する領域のエントリ番号を用いるとよい。
【００５８】
メディアＩＤ及びメディアキー情報は、光ディスクに予め記録されている情報であり、個々の光ディスクについて固有の情報である。記録装置１の出荷時点では、第１領域にはまだ光ディスク６１が対応付けられていないので、割り当てフラグは光ディスクが対応付けられていないことを示しており、特定の光ディスク６１に固有のメディアＩＤ及びメディアキー情報はまだ記憶されていない。マップ情報は、第１領域で記憶するデータ、及び第１領域に対応付けられた光ディスク６１で記録するデータが、第１領域及び光ディスク６１のどのアドレスに分布しているのかを示している。第２〜第ｎ領域管理部の夫々にも、同様の情報が記憶される。なお、記録装置１は、記憶部１２の記憶領域が予め分割されているのではなく、ユーザがｎの値を指定することによりｎを決定し、ｎの値に応じて記憶部１２の記憶領域を分割する処理を行う形態であってもよい。
【００５９】
図１２は、記憶部１２の記憶領域を分割する処理の手順を示すフローチャートである。録画／再生制御部２４は、記録装置１に登録できる光ディスクの枚数の指定を受け付けるための受付画面を映像表示装置４に表示させ、ユーザが所定の操作を行ったリモコン５からの信号をリモコン受信部３３が受信することによって、登録できる光ディスクの枚数の指定を受け付ける（ステップＳ９１）。登録できる光ディスクの枚数は、交換部１５に収納可能な光ディスクの枚数以下としてもよい。また、ユーザによる指定を受け付けることなく、登録できる光ディスクの枚数を交換部１５に収納可能な光ディスクの枚数としてもよい。録画／再生制御部２４は、記憶部１２の管理領域管理部に、指定された枚数の値を、エントリ数ｎとして記憶させることにより、エントリ数を設定する（ステップＳ９２）。
【００６０】
録画／再生制御部２４は、次に、記憶部１２の管理領域中に第１〜第ｎ領域管理部及び予備領域管理部を確保し、夫々に割り当てられたエリアのアドレスを示す割り当てエリア情報を管理領域管理部に記憶させることにより、第１領域管理部、第２領域管理部、…、第ｎ領域管理部及び予備領域管理部を設定する（ステップＳ９３）。録画／再生制御部２４は、次に、記憶部１２の管理領域以外の記憶領域を（ｎ＋１）分割し、第１〜第ｎ領域及び予備領域の夫々に割り当てられたエリアのアドレスを示す割り当てエリア情報を、第１〜第ｎ領域管理部及び予備領域管理部の夫々に記憶させることにより、第１〜第ｎ領域及び予備領域を設定する（ステップＳ９４）。記録装置１は、以上で記憶部１２の記憶領域を分割する処理を終了する。次に、以上の構成でなる記録装置１が実行する処理を説明する。
【００６１】
図１３は、光ディスクドライブ１１に光ディスクが装着されてから記録装置１が行う処理の手順を示すフローチャートである。交換部１５に収納された複数の光ディスクのうち１つの光ディスクが選択されて光ディスクドライブ１１に装着された場合、ドライブ制御部１３は、光ディスク中の所定の位置に記録された情報を光ディスクドライブ１１に読み出させる。これにより、光ディスクのメディアＩＤを読み出し、インターフェース部１４からバックエンド部２０へ入力する。録画／再生制御部２４は、読み出したメディアＩＤが記憶部１２の第１〜第ｎ領域管理部のいずれかに記憶されているかを判定することにより、装着された光ディスクが既に登録済みの光ディスクであるか否かを判定する（ステップＳ１０１）。
【００６２】
メディアＩＤが記憶部１２に記憶されておらず、光ディスクが未登録であった場合（ステップＳ１０１でＮＯ）、録画／再生制御部２４は、光ディスクドライブ１１で光ディスクから読み出したデータに基づき、光ディスクがフォーマット済みの光ディスクであるか否かを判定する（ステップＳ１０２）。ステップＳ１０２では、例えば、ｖｏｌｕｍｅ  ｄｅｓｃｒｉｐｔｏｒに基づいて判定を行う。光ディスクがフォーマット済みの光ディスクであった場合（ステップＳ１０２でＹＥＳ）、録画／再生制御部２４は、光ディスクドライブ１１で光ディスクから読み出したデータに基づき、光ディスクが再生専用の光ディスクであるか否かを判定する（ステップＳ１０３）。
【００６３】
光ディスクが再生専用ではなかった場合（ステップＳ１０３でＮＯ）、録画／再生制御部２４は、光ディスクのフォーマット指示を受け付けたか否かを判定する（ステップＳ１０４）。例えば、録画／再生制御部２４は、光ディスクのフォーマット指示を受け付けるための受付画面用の映像信号をデコーダ２８及び画像処理部２９を介して信号出力部３４から映像表示装置４へ送信する。これにより、映像表示装置４にフォーマット指示を受け付けるための受付画面を表示させる。受付画面を確認したユーザは、リモコン５を操作することによりフォーマットの指示を入力する。ユーザからの所定の操作を受け付けたリモコン５が送信した所定の信号をリモコン受信部３３が受信して光ディスクのフォーマット指示を受け付けた場合（ステップＳ１０４でＹＥＳ）、録画／再生制御部２４は、ドライブ制御部１３及び光ディスクドライブ１１に光ディスクをフォーマット（初期化）させる（ステップＳ１０５）。
【００６４】
またステップＳ１０２で光ディスクがフォーマット済みではなかった場合は（ステップＳ１０２でＮＯ）、録画／再生制御部２４は、ドライブ制御部１３及び光ディスクドライブ１１に、光ディスクをフォーマットさせる（ステップＳ１０５）。光ディスクのフォーマット指示の受け付けがない場合は（ステップＳ１０４でＮＯ）、録画／再生制御部２４は、光ディスクの登録指示を受け付けたか否かを判定する（ステップＳ１０６）。例えば、録画／再生制御部２４は、登録指示を受け付けるための受付画面を映像表示装置４に表示させ、光ディスクの登録を行うか否かの指示をリモコン受信部３３で受け付ける。
【００６５】
なお、フォーマット指示を受け付けるための受付画面と、登録指示を受け付けるための受付画面とを一つに合わせた受付画面を映像表示装置４に表示させる処理を行ってもよい。ステップＳ１０５が終了した場合、録画／再生制御部２４は、記憶部１２の管理領域に記憶された情報に基づき、記憶部１２の第１〜第ｎ領域の内で光ディスクが対応付けられていない記憶領域があるか否かを判定する（ステップＳ１０７）。また、ステップＳ１０６で光ディスクの登録指示を受け付けた場合（ステップＳ１０６でＹＥＳ）、録画／再生制御部２４は、記憶部１２の第１〜第ｎ領域の内で光ディスクが対応付けられていない記憶領域があるか否かを判定する（ステップＳ１０７）。
【００６６】
光ディスクが対応付けられていない記憶領域がない場合（ステップＳ１０７でＮＯ）、録画／再生制御部２４は、各記憶領域に対応付けて登録してある光ディスクの内で何れかの光ディスクの登録を解消することの指示を受け付けたか否かを判定する（ステップＳ１０８）。例えば、録画／再生制御部２４は、光ディスクの新規登録ができないことを報知した上で既に登録されている光ディスクの登録解消の指示を受け付けるための受付画面を映像表示装置４に表示させ、登録解消をするか否かの指示をリモコン受信部３３で受け付ける。なお、どの光ディスクの登録を解消するかの指示をも受け付ける処理を行ってもよい。
【００６７】
登録解消の指示を受け付けた場合（ステップＳ１０８でＹＥＳ）、録画／再生制御部２４は、ドライブ制御部１３に、記憶部１２の管理領域に記憶されている一の光ディスクに固有の媒体情報を消去させることにより、一の光ディスクの登録を解消する処理を行う（ステップＳ１０９）。例えば、記憶部１２の第１領域に対応付けられている光ディスク６１の登録を解消する場合は、録画／再生制御部２４は、記憶部１２の第１領域管理部に記憶されているメディアＩＤ及びメディアキー情報を消去する処理を行う。またこのとき、第１領域管理部に記憶されている割り当てフラグは、光ディスクが対応付けられていないことを示すフラグに書き換えられる。
【００６８】
ステップＳ１０７で光ディスクが対応付けられていない記憶領域がある場合（ステップＳ１０７でＹＥＳ）、録画／再生制御部２４は、光ディスクドライブ１１に装着された光ディスクに固有の媒体情報を、光ディスクが対応付けられていない記憶領域に関連付けて記憶部１２の管理領域に記憶する。これにより、光ディスクを記憶領域に対応付けて登録する処理を行う（ステップＳ１１０）。また、ステップＳ１０９が終了した場合にも、録画／再生制御部２４は、光ディスクを記憶領域に対応付けて登録する処理を行う（ステップＳ１１０）。例えば、記憶部１２の第１領域に光ディスク６１を対応付ける場合、録画／再生制御部２４は、始めに光ディスクドライブ１１に装着されている光ディスク６１からメディアＩＤ及びメディアキー情報を読み出す。
【００６９】
次に録画／再生制御部２４は、読み出したメディアＩＤ及びメディアキー情報を記憶部１２の第１領域管理部に記憶させる処理を行う。また録画／再生制御部２４は、第１領域管理部に記憶されている割り当てフラグを、光ディスクが対応付けられていることを示すフラグに書き換える。ステップＳ１０１でメディアＩＤが記憶部１２に記憶されており、光ディスクが登録済みであった場合（ステップＳ１０１でＹＥＳ）、録画／再生制御部２４は、録画又は再生等の処理を実行するために、光ディスクドライブ１１に装着されている光ディスクへのアクセスを開始する（ステップＳ１１１）。また、ステップＳ１１０が終了した場合にも、録画／再生制御部２４は、光ディスクドライブ１１に装着されている光ディスクへのアクセスを開始する（ステップＳ１１１）。
【００７０】
ステップＳ１０３で光ディスクが再生専用であった場合（ステップＳ１０３でＹＥＳ）、録画／再生制御部２４は、光ディスクドライブ１１に装着されている光ディスクに対して、未登録の光ディスクとしてアクセスを開始する（ステップＳ１１２）。また、ステップＳ１０６で光ディスクの登録指示の受付がなかった場合（ステップＳ１０６でＮＯ）、又はステップＳ１０８で登録解消の指示の受付がなかった場合にも（ステップＳ１０８でＮＯ）、録画／再生制御部２４は、未登録の光ディスクとしてアクセスを開始する（ステップＳ１１２）。記録装置１は、以上で、光ディスクが装着された際の処理を終了する。次に、記録装置１が録画予約に基づいて録画する動作を説明する。
【００７１】
録画／再生制御部２４は、録画すべき番組の指定を受け付けるための受付画面を映像表示装置４に表示させ、ユーザが所定の操作を行ったリモコン５からの信号をリモコン受信部３３で受信することによって、録画すべき番組の指定を受け付ける。録画／再生制御部２４は、受け付けた番組の指定に従って、録画を予約した番組を指定する予約情報を生成し、光ディスクドライブ１１に装着されている光ディスクのメディアＩＤと関連付けて、予約情報を保存用メモリ２７に記憶させる。録画／再生制御部２４は、ドライブ制御部１３及び光ディスクドライブ１１に、光ディスクドライブ１１に装着されている光ディスクに予約情報を記録させて録画予約を完了する。
【００７２】
録画／再生制御部２４は、予約情報に基づいて番組を録画するようにしてある。録画／再生制御部２４は、予約情報が示す番組の放送開始時刻に、光ディスクドライブ１１に当該予約情報が記録された光ディスクが装着されている場合、光ディスクに放送が開始された番組の番組データを記録する。なお、録画／再生制御部２４は、光ディスクに番組データを記録させると共に、記憶部１２の記憶領域の内で、予約情報に関連付けられた光ディスクに対応する記憶領域に番組データを記憶させる処理を行ってもよい。番組の放送が終了し、番組データの記録が終了した場合、録画／再生制御部２４は、光ディスクに記録した番組データが表す番組のタイトルを示すタイトル情報を光ディスクに記録させる。
【００７３】
また、録画／再生制御部２４は、記憶部１２の記憶領域の内で、予約情報に関連付けられた光ディスクに対応する記憶領域にタイトル情報を記憶させる。放送開始時刻となった番組を示す予約情報が記録されていない光ディスクが光ディスクドライブ１１に装着されている場合、又は光ディスクが光ディスクドライブ１１に装着されていない場合、録画／再生制御部２４は、放送が開始された番組の内容を表す番組データを、記憶部１２の記憶領域の内で、予約情報に関連付けられた光ディスクに対応付けられた記憶領域に記憶させる。
【００７４】
録画／再生制御部２４は、光ディスクを順次交換して連続録画する場合、記憶部１２の記憶領域の内で、交換前の光ディスクに対応する記憶領域に連続再生ディスク番号として、交換後の光ディスクの番号を記憶させる。また、録画／再生制御部２４は、関連番組の番組データを光ディスクに録画する場合も同様に、記憶部１２の複数の記憶領域のうち直近の関連番組を録画した光ディスクに対応する記憶領域に連続再生ディスク番号として、録画した光ディスクの番号を記憶する。次に、記録装置１が録画した番組を再生する動作を説明する。
【００７５】
図１４は、番組再生の処理の手順を示すフローチャートである。ユーザがリモコン５に対して所定の操作を行うことにより、リモコン受信部３３は番組再生処理の開始指示を受け付け、録画／再生制御部２４は、光ディスクに記録されている番組データが表す番組の中から再生すべき番組を選択するための番組選択画面を映像表示装置４に表示させる（ステップＳ１２１）。番組選択画面を確認したユーザがリモコン５を操作し、リモコン５からの信号をリモコン受信部３３で受信することにより、録画／再生制御部２４は、ユーザから、再生すべき番組の選択を受け付ける。ステップＳ１２１の後、録画／再生制御部２４は、再生すべき番組の選択を受け付けることによる、番組再生の指示の受付を待ち受ける（ステップＳ１２２）。
【００７６】
番組再生の指示の受付がない場合は（ステップＳ１２２でＮＯ）、録画／再生制御部２４は、番組再生の指示の受付の待ち受けを続行する。番組再生の指示を受け付けた場合は（ステップＳ１２２でＹＥＳ）、録画／再生制御部２４は、記憶部１２の光ディスクに対応付けられた記憶領域に、再生すべき番組を表す番組データが記憶されているか否かを判定する（ステップＳ１２３）。記憶部１２の光ディスクに対応付けられた記憶領域に、再生すべき番組を表す番組データが記憶されている場合は（ステップＳ１２３でＹＥＳ）、録画／再生制御部２４は、記憶部１２に記憶されている番組データに基づいて番組を再生する処理を行う（ステップＳ１２４）。
【００７７】
ここで、記録装置１は、連続録画又は関連録画された番組を再生する場合、各記憶領域に記憶されている連続再生ディスク番号を参照して、各領域に記憶されている番組データを再生するとよい。記憶部１２の光ディスクに対応付けられた記憶領域に、再生すべき番組を表す番組データが記憶されていない場合は（ステップＳ１２３でＮＯ）、録画／再生制御部２４は、光ディスクドライブ１１に装着されている光ディスクに記録された番組データに基づいて連続再生処理を行って（ステップＳ１２５）、番組再生を終了する。
【００７８】
本実施の形態３においては、記憶部１２に再生すべき番組データが記憶されていない場合、連続再生処理を行う場合を示したが、これに限るものではない。例えば、光ディスクに記録されているタイトル情報等に応じて連続再生処理又は関連再生処理を行なうようにしてもよい。
【００７９】
本実施の形態３は以上の如き構成としてあり、その他の構成及び処理は実施の形態１及び実施の形態２と同様であるので対応する部分には同一の符号及び処理名を付してその詳細な説明を省略する。
【符号の説明】
【００８０】
１  記録装置
４  映像表示装置
５  リモコン（リモートコントローラ）
１０  ハイブリッドドライブ部
１１  光ディスクドライブ
１２  記憶部
１３  ドライブ制御部
１４，２６  インターフェース部
１５  交換部
２０  バックエンド部
２１  デジタルチューナ
２３  ストリーム処理部
２４  録画／再生制御部
２５  制御用メモリ
２７  保存用メモリ
２８  デコーダ
２９  画像処理部
３１  放送入力部
３２  信号入力部
３３  リモコン受信部
３４  信号出力部
６１  光ディスク（記録媒体）
【図１】
2010250898.tif 000003
【図２】
2010250898.tif 000004
【図３】
2010250898.tif 000005
【図４】
2010250898.tif 000006
【図５】
2010250898.tif 000007
【図６】
2010250898.tif 000008
【図７】
2010250898.tif 000009
【図８】
2010250898.tif 000010
【図９】
2010250898.tif 000011
【図１０】
2010250898.tif 000012
【図１１】
2010250898.tif 000013
【図１２】
2010250898.tif 000014
【図１３】
2010250898.tif 000015
【図１４】
2010250898.tif 000016